(57)【要約】【課題】ポールを容易に着脱可能とする椅子のポール樹立構造を提供し、椅子の一時的撤去、および、再設置を容易にし、車椅子による利用を可能にするとともに、椅子の付け替え工事等を容易にする。【解決手段】フロアに固定した円筒状受体５に座部１を支持する円柱状のポール２の下端部８を嵌合することにより該ポールを垂直に樹立させるものであって、円筒状受体は内周面６が５〜１０度の開角度αにて内径が上方に向かい拡径するテーパ状に形成し、ポールの下端部は下方に向かい縮径し前記円筒状受体の内周面と合致するテーパ状に形成し、該円筒状受体の内周面と接する該ポールの下端部の接触面の有効高さｈを４０〜６０ｍｍに設定し、かつ該ポールの下端部の表面粗さ（Ｒｚ）を１〜５０μｍ、該円筒状受体の内周面の表面粗さ（Ｒｚ）を１〜５０μｍに設定してなる。【選択図】図３
2005065876.tif 000002
【特許請求の範囲】
【請求項１】
フロアに固定した円筒状受体に座部を支持する円柱状のポールの下端部を嵌合することにより該ポールを垂直に樹立させるものであって、円筒状受体は内周面が５〜１０度の開角度にて内径が上方に向かい拡径するテーパ状に形成し、ポールの下端部は下方に向かい縮径し前記円筒状受体の内周面と合致するテーパ状に形成し、該円筒状受体の内周面と接する該ポールの下端部の接触面の有効高さを４０〜６０ｍｍに設定し、かつ該ポールの下端部および該円筒状受体の内周面の表面粗さ（Ｒｚ）を１〜５０μｍに設定してなることを特徴とする椅子のポール樹立構造。
【請求項２】
ポールの下端部寄りに係合ピンを突設し、円筒状受体に該ポールの下端部を嵌合したとき該係合ピンが嵌着する係合溝を該円筒状受体の上縁に形成してなる請求項１に記載の椅子のポール樹立構造。
【発明の詳細な説明】
【技術分野】
【０００１】
本発明は主として遊技場に設置される椅子のポールを着脱自在に樹立する構造に関するものである。
【背景技術】
【０００２】
一般にパチンコ遊技場に設けられる椅子は、座部を支持するポール（支柱）をフロアに樹立してなるもので、該ポールはフロアに３本のアンカーボルトで固定した基板上に溶接されていた。このため、店内模様替え等のためにポールを取り外そうとすると工事が容易でないという問題があった。
【０００３】
また、近年のハートビル法に対応して車椅子の利用ができる遊技施設が増えてきたが、上記のようにパチンコ遊技場の遊技用椅子はフロアに固定されていたので、椅子を一時的に撤去したり再設置することは容易ではなく、このために車椅子利用者が遊技台を自由に選べる状況ではなかった。
【０００４】
一方、特許文献１に示された椅子は、遊技台の前面下縁部に沿って配設されたチャンネル部材にポールを支持するフラットバー状の基板の先端を着脱自在に係合させてなり、椅子の移設を容易にするものであったが、上記基板が横断状に延びフロアが凹凸状になるので、遊技者が足をつまずき易いという欠点がある。
【０００５】
また特許文献２に示された椅子は、基板上にテーパ状の受皿を設け、ポールの下部を該受皿に嵌合させるとともに、該受皿に横孔を開設し、バール状の工具を該横孔から挿入することで、取り外しを容易にしようとするものであった。しかし同文献に示された構造では、上記横孔のために受皿の強度が損なわれるとともに、掃除の水等が該横孔から受皿内に流れ込んで錆び易くなり耐久性が損なわれるという問題、および、ポールの下端にも工具を係合させる隙間を形成しなければならないので支持が浅く不安定になるおそれがあった。
【０００６】
また、上記ポールや受皿および基板は表装用の筒状カバー部材により被われることが多いが、該筒状カバー部材は座部が邪魔となって上方に抜くことができないので、上記のようにバール状の工具を使用して椅子を取り外そうとすると、その筒状カバー部材を破壊しなければならず、このため一旦椅子を取り外すと現状復帰が困難になるという問題があった。
【特許文献１】米国特許第４８４０３４３号公報
【特許文献２】実開平６−４６５４４号公報
【発明の開示】
【発明が解決しようとする課題】
【０００７】
そこで本発明は、上記のような問題点を生じさせることなくポールを容易に着脱可能とするポール樹立構造を提供し、椅子の一時的撤去、および、再設置を容易にし、車椅子による利用を可能にするとともに、椅子の付け替え工事等が容易になるようにするものである。
【課題を解決するための手段】
【０００８】
そのために本発明に係る椅子のポール樹立構造は、フロアに固定した円筒状受体に座部を支持する円柱状のポールの下端部を嵌合することにより該ポールを垂直に樹立させるものであって、円筒状受体は内周面が５〜１０度の開角度にて内径が上方に向かい拡径するテーパ状に形成し、ポールの下端部は下方に向かい縮径し前記円筒状受体の内周面と合致するテーパ状に形成し、該円筒状受体の内周面と接する該ポールの下端部の接触面の有効高さを４０〜６０ｍｍに設定し、かつ該ポールの下端部および該円筒状受体の内周面の表面粗さ（Ｒｚ）を１〜５０μｍに設定してなることを特徴とする。
【０００９】
また本発明は上記ポール樹立構造において、ポールの下端部寄りに係合ピンを突設し、円筒状受体に該ポールの下端部を嵌合したとき該係合ピンが嵌着する係合溝を該円筒状受体の上縁に形成してなることを特徴とする。
このため、椅子が所定方向に向くように容易に位置決めされるようになる。
【発明の効果】
【００１０】
椅子を上方に持ち上げるだけでポールが簡単に円筒状受体から離脱し、筒状カバー部材を破壊する必要もないので、椅子の一時的撤去、および、再設置が非常に容易となる。このため、椅子の付け替え工事が容易になるだけでなく、遊技場では車椅子利用者が遊技台を自由に選べるような状況にすることも可能となる。
【実施例１】
【００１１】
次に本発明の実施例を図面に従い説明する。図１はこの椅子の部分破断面斜視図、図２はこの椅子の下部の縦断面図で、１は座部、２は該座部を支持する円柱状のポールである。なお、座部１は該ポール上に水平面内で回転自在でかつ前後方向に進退自在なるように支持されたものである。
【００１２】
また、３はフロアに３本のアンカーボルト４により固定される円形の基板、５は該基板上に溶接により固着された円筒状受体で、図３に示したように、該円筒状受体の内周面６は５〜１０度の開角度αにて内径が上方に向かい拡径するテーパ状に形成されている。そして該内周面６の表面粗さ（Ｒｚ）が１〜５０μｍの範囲の粗面となるように設定される。なお、７は該円筒状受体の上縁に形成された係合溝である。
【００１３】
そして、該円筒状受体５内にポール２の下端部８を嵌合することにより該ポール２が垂直に樹立される。該ポール２の下端部８は下方に向かい縮径し該円筒状受体の内周面６と合致するべく上記開角度αと同じ５〜１０度のテーパ状に形成され、該内周面６と接する該ポールの下端部８の接触面の有効高さｈが４０〜６０ｍｍとなるように設定される。また、該ポールの下端部８の表面粗さ（Ｒｚ）は１〜５０μｍの粗面となるように設定される。なお、９はポール２の下端部寄りに頭付ボルトを螺着することにより突設された係合ピンで、該係合ピンは円筒状受体５に該ポールの下端部を嵌合したとき前記係合溝７に嵌着することにより、座部１が常に遊技機の正面に向いた状態で位置決めされる。また、１０は表装用としてポール２、円筒状受体５および基板３を被うように設けられる略円錐形の筒状カバー部材である。
【００１４】
このため、ポール２の荷重は円筒状受体５の内周面６によって受けられ、該内周面６にポール２の下端部８が密着することとなるが、該内周面６は５〜１０度という比較的大きな開角度αのテーパ状に形成されているので、下端部８が食い込むことがない。開角度αがこの範囲より小さいと食い込みのおそれがあり、大きいと支持が不安定となる。このため開角度αは上記５〜１０度の範囲に設定される。また、その接触面は上記のように粗面に形成されていることから強い圧力で接触していても離脱性を損なうことがない。また、接触面の表面粗さがこの範囲より粗いと安定性が悪くなりこの範囲より精緻に仕上げられていると離脱性が悪くなるおそれがある。このため接触面の表面粗さは上記範囲内であることが必要である。こうすることにより座部１を持ち上げるだけで、ポール２と円筒状受体５とは図４に示したように容易に離脱する。
【００１５】
また、上記接触面の有効高さｈは、４０〜６０ｍｍと比較的長く採ってあることから、横からの外力に対して抜脱したり傾倒するおそれはなく、ポール２が安定して支持される。この範囲以上に有効高さｈを長くすることは離脱性を悪くするおそれがある。
【００１６】
また、この円筒状受体５は底部に横孔等を有しないので掃除の水等が該円筒状受体内に侵入するおそれもなく、椅子として必要な強度，耐久性を得ることができる。
【００１７】
なお、座部１を持ち上げるに際して筒状カバー部材１０を破壊する必要もなく、一人で簡単に離脱させることができる。こうして撤去した椅子は、傍らに一時的に立てかけておくことにより、代わって車椅子をその円筒状受体５の上に跨ぐように進入させることかできる。
【００１８】
なおこの実施形態では頭付ボルトを螺着することにより係合ピン９を突設したが、リベットを固着したり、或いはポールに直接バーリング又は潰し等の加工をしたり、ポールの外周にリング状の金具を溶接等により固着することにより、係合ピンを形成することも可能である。
【図面の簡単な説明】
【００１９】
【図１】本発明の実施例を示す椅子の部分破断面斜視図。
【図２】本発明の実施例を示す椅子の下部の縦断面図。
【図３】図２の要部の縦断面図。
【図４】図３のポールと円筒状受体との離脱状態図。
【符号の説明】
【００２０】
１    座部
２    ポール
３    基板
５    円筒状受体
６    内周面
７    係合溝
８    下端部
９    係合ピン
α    開角度
ｈ    有効高さ
【図１】
2005065876.tif 000003
【図２】
2005065876.tif 000004
【図３】
2005065876.tif 000005
【図４】
2005065876.tif 000006